(57)【要約】【課題】ブザーの音圧不足を改善し、ブザーの音色が変化しないブザー駆動回路を実現する。【解決手段】スイッチングトランス５を有してマイコン１９へ電圧を供給するスイッチング電源回路４を備え、スイッチング電源回路４からのスイッチング出力部６に正電圧整流ダイオード７と正電圧平滑コンデンサ８とを接続し、マイコン１９の駆動電圧を安定させる電圧安定化ＩＣ９と電解コンデンサ１０を接続してマイコンの電源入力端子１１に接続された電源回路に、スイッチング電源回路４の出力から生じる負電圧を整流して平滑する負電圧整流平滑回路（１２，１３）と、ブザー１４と、ブザー駆動トランジスタ（１６，１７）とを備え、スイッチング電源回路４に反発起電力として生じる負電圧を整流平滑した負電圧と、ブザー１４を駆動するマイコン１９の正電圧とを加算した電圧をブザー１４に印加するように構成した。【選択図】図１
2013134297.tif 000002
【特許請求の範囲】
【請求項１】
スイッチングトランスを有してマイコンへ電圧を供給するスイッチング電源回路を備え、前記スイッチング電源回路からのスイッチング出力部に正電圧整流ダイオードと正電圧平滑コンデンサとを接続し、前記マイコンの駆動電圧を安定させる電圧安定化ＩＣと電解コンデンサを接続してマイコン駆動電圧入力部に接続された電源回路に、前記スイッチング電源回路の出力から生じる負電圧を整流して平滑する負電圧整流平滑回路と、ブザーと、ブザー駆動トランジスタとを備え、前記スイッチング電源回路に反発起電力として生じる負電圧を整流平滑した負電圧と、前記ブザーを駆動するマイコンの正電圧とを加算した電圧を前記ブザーに印加するように構成したブザー駆動回路。
【発明の詳細な説明】
【技術分野】
【０００１】
本発明は家庭用電化機器などで報知音を発生するブザーの駆動回路に関するものである。
【背景技術】
【０００２】
従来、この種のブザーを駆動する電源回路は、より高いブザー音圧を得るために、マイコンを駆動する安定化電源より前の電圧ラインにブザーと、ブザーを駆動するトランジスタを接続し、マイコンからの駆動パルス信号に応じた周波数でブザーを駆動し、鳴動している（例えば、特許文献１参照）。
【０００３】
図２は一般的なスイッチング電源回路に於けるブザー駆動方式を示した回路図で、以下その構成について説明する。スイッチング電源回路を構成するスイッチングトランス５からの出力パルス電圧を整流ダイオード７で整流した後、平滑コンデンサ８で平滑した正の直流電圧発生部２０をブザー駆動電圧とし、マイコン１９のブザー駆動信号端子１８から出力されるパルス信号を、ブザー駆動トランジスタ２１を介してブザー１４を駆動させ、マイコン１９からの駆動周波数に応じたブザー１４の振動板が共振動作することにより、ブザー１４を鳴動させている。
【０００４】
上記に示した一連のブザー駆動用電源回路とブザー駆動回路により、家庭用電化機器などで報知音を発生させる制御回路を構築することが出来る。
【先行技術文献】
【特許文献】
【０００５】
【特許文献１】特開昭６１−１８０８５６号公報
【発明の概要】
【発明が解決しようとする課題】
【０００６】
しかしながら、このようなスイッチング電源回路からの正の直流電圧のみを用いてブザーを駆動する従来の方式では、最大音圧でブザーを駆動するには、その電圧が不十分であり、機器として必要なブザー音圧が得られない場合が多々あった。また、それを改善する一例として圧電ブザーに共振用のコイルを直列接続したＬＣ共振回路を付加し、圧電ブザーの駆動による充放電の直列共振回路による自己昇圧現象を用いた昇電圧回路等を別途設ける必要があった。
【０００７】
本発明は、上記従来の課題を解決するもので、スイッチング電源回路からの正の直流電圧のみを用いてブザーを駆動するのでは無く、スイッチングトランスの出力巻線から生じ、従来は利用していなかった負の反発起電圧をダイオードとコンデンサで整流平滑する負の電圧整流平滑回路を設けることにより、正の電圧と共に新たに設けた負電圧を加算した正負両電圧をブザーに印加する回路方式により、ブザーを駆動する電圧そのものを高電圧化し、ブザー音圧を高めるものである。
【０００８】
よって従来回路方式で課題であった、正電圧のみのブザー駆動方式に於けるブザー音圧不足を改善し、また、共振コイルを付加したＬＣ共振回路による昇圧方式での課題であった、ブザーが有する固有の共振周波数と、付加したコイルとのＬＣ共振周波数の高調波歪みによるブザー音色の変化を生じさせないようにしたブザー駆動回路構成を提供することを目的としている。
【課題を解決するための手段】
【０００９】
本発明は上記目的を達成するために、スイッチングトランスを有してマイコンへ電圧を供給するスイッチング電源回路を備え、前記スイッチング電源回路からのスイッチング出力部に正電圧整流ダイオードと正電圧平滑コンデンサとを接続し、前記マイコンの駆動電圧を安定させる電圧安定化ＩＣと電解コンデンサを接続してマイコン駆動電圧入力部に接続された電源回路に、前記スイッチング電源回路の出力から生じる負電圧を整流して平滑する負電圧整流平滑回路と、ブザーと、ブザー駆動トランジスタとを備え、前記スイッチング電源回路に反発起電力として生じる負電圧を整流平滑した負電圧と、前記ブザーを駆動するマイコンの正電圧とを加算した電圧を前記ブザーに印加するように構成したもので、スイッチング電源回路の出力巻線から整流平滑して得られる従来の正の直流電圧と共に、その出力巻線から同時に生じる負の反発起電圧を整流平滑する新たな整流平滑回路を設けることにより、正電圧と負電圧を加算した正負両電圧をブザーに印加し、より高い電圧でブザーを駆動し、ブザー音圧を高めるものである。
【００１０】
これにより、正電圧のみでブザーを駆動する回路方式によるようなブザーの音圧不足を改善し、共振コイルを付加したＬＣ共振回路昇圧方式での高調波歪みによるようなブザー音色の変化を生じさせないようにすることができる。
【発明の効果】
【００１１】
本発明のブザー駆動回路は、スイッチング電源回路のスイッチングトランスの出力巻線から得られる正の電圧出力と、その出力巻線から同時に生じる負の反発起電圧を整流平滑する負の電圧整流平滑回路と、この負電圧と従来の正電圧とを加算した正負両電圧をブザーに印加し、より高い電圧でブザーを駆動することで、ブザー音圧を高めるものであり、従来回路の課題であった、正電圧のみで駆動するようなブザー音圧の不足を改善し、共振コイルを付加したＬＣ共振回路昇圧方式での高調波歪みによるようなブザー音色の変化を生じさせないブザー駆動手段を安価に提供することができる。
【図面の簡単な説明】
【００１２】
【図１】本発明の実施の形態１におけるブザー駆動回路の構成図
【図２】従来のブザー駆動回路の構成図
【発明を実施するための形態】
【００１３】
第１の発明は、スイッチングトランスを有してマイコンへ電圧を供給するスイッチング電源回路を備え、前記スイッチング電源回路からのスイッチング出力部に正電圧整流ダイオードと正電圧平滑コンデンサとを接続し、前記マイコンの駆動電圧を安定させる電圧安定化ＩＣと電解コンデンサを接続してマイコン駆動電圧入力部に接続された電源回路に、前記スイッチング電源回路の出力から生じる負電圧を整流して平滑する負電圧整流平滑回路と、ブザーと、ブザー駆動トランジスタとを備え、前記スイッチング電源回路に反発起電力として生じる負電圧を整流平滑した負電圧と、前記ブザーを駆動するマイコンの正電圧とを加算した電圧を前記ブザーに印加するように構成したブザー駆動回路である。
【００１４】
スイッチング電源回路のスイッチングトランスの出力巻線から出力されるパルス電圧を整流平滑して得られる正の電圧出力と、その出力巻線から同時に生じる負の反発起電圧を整流平滑する負の電圧整流平滑回路による負の電圧出力と、この負電圧と従来の正電圧とを加算した正負両電圧をブザーに印加し、より高い電圧でブザーを駆動することにより、正電圧のみで駆動するブザーのような音圧不足を改善し、共振コイル等を付加したＬＣ共振回路昇圧方式での高調波歪みによるようなブザー音色の変化を生じさせないようにすることができる。
【００１５】
以下、本発明の実施の形態について、図面を参照しながら説明する。なお、従来例と同
じ構成のものは同一符号を付して説明を省略する。また、この実施の形態によって本発明が限定されるものではない。
【００１６】
（実施の形態１）
図１は本発明の実施の形態におけるブザー駆動回路の構成図である。図１に於いて、交流入力電圧１はブリッジダイオード２に接続されて電源平滑コンデンサ３に接続され、マイコン１９等へ電圧を供給するスイッチング電源回路４に接続され、スイッチングトランス５からのスイッチング出力部６は、正電圧整流ダイオード７と、正電圧平滑コンデンサ８に接続された後、マイコン１９の駆動電圧を安定化させる電圧安定化ＩＣ９と電解コンデンサ１０に接続された後、マイコン１９を駆動するための電源入力端子１１に接続されている。
【００１７】
更に、スイッチングトランス５からスイッチング出力部６に出力される正負スイッチング出力電圧は、負電圧を整流する負電圧整流ダイオード１２で整流された後、負電圧平滑コンデンサ１３で平滑され、その負電圧はブザー１４に接続され、ブザー電圧制限抵抗１５を介して、第１のブザー駆動トランジスタ１６のコレクタに接続され、第１のブザー駆動トランジスタ１６のエミッタを介して正電圧整流ダイオード７と、正電圧平滑コンデンサ８で構成される正電圧ラインに接続されている。更に第１のブザー駆動トランジスタ１６を駆動する第２のブザー駆動トランジスタ１７はブザー駆動信号端子１８に接続されている。
【００１８】
以上のように構成したブザー駆動回路について、その動作、作用を説明する。ブザー１４の鳴動駆動は、ブザー駆動信号端子１８のＬｏ／Ｈｉのパルス信号が第２のブザー駆動トランジスタ１７のベースに伝わると第２のブザー駆動トランジスタ１７がＨｉ時に導通し、第１のブザー駆動トランジスタ１６のベース電位がＬｏレベルなることにより第１のブザー駆動トランジスタ１６が導通し、ブザー１４に負電圧が印加される。
【００１９】
これらより、ブザー１４の両端には正電圧と負電圧とが合算された電圧が印加されることになり、従来正の電圧のみをブザー駆動に使用していた場合と比較して、正負両電圧によるブザー駆動回路を構成することができるため、ブザー音圧を飛躍的に大きくすることができるとともに、共振コイル等を付加したＬＣ共振回路昇圧方式での高調波歪みによるようなブザー音色の変化を生じさせないようにすることができる。
【産業上の利用可能性】
【００２０】
以上のように、本発明にかかるブザー駆動回路は、本来利用していなかった負の反発起電圧を効果的に有効活用することにより、この負電圧と従来の正の電圧出力とを加算した正負両電圧をブザーに印加し、より高い電圧でブザーを駆動することにより、ブザー音圧を高めるものであり、従来回路の課題であった、正電圧のみで駆動するブザーのような音圧不足を改善し、共振コイルを付加したＬＣ共振回路昇圧方式での高調波歪みによるようなブザー音色の変化を生じない、ブザー駆動回路を容易に構成することが可能となる。
【符号の説明】
【００２１】
１  交流入力電圧
２  ブリッジダイオード
３  電源平滑コンデンサ
４  スイッチング電源回路
５  スイッチングトランス
６  スイッチング出力部
７  正電圧整流ダイオード
８  正電圧平滑コンデンサ
９  電圧安定化ＩＣ
１０  電解コンデンサ
１１  電源入力端子
１２  負電圧整流ダイオード
１３  負電圧平滑コンデンサ
１４  ブザー
１５  ブザー電圧制限抵抗
１６  第１のブザー駆動トランジスタ
１７  第２のブザー駆動トランジスタ
１８  ブザー駆動信号端子
１９  マイコン
【図１】
2013134297.tif 000003
【図２】
2013134297.tif 000004